(57)【要約】【課題】  本発明は、コンテンツ提供装置及びコンテンツの提供方法に関し、例えばカーオーディオ装置に適用して、盗難等による場合でも、蓄積したコンテンツの不正な利用を防止することができるようにする。【解決手段】  本発明は、ユーザーの身体的特徴を示す身体的特徴情報によりユーザー認証し、この認証結果に基づいて記録手段に蓄積されたコンテンツをユーザーに提供する。【選択図】図１
2005050083.tif 000002
【特許請求の範囲】
【請求項１】
記録手段にコンテンツを記録して保持し、前記コンテンツをユーザーに提供する車載のコンテンツ提供装置であって、
ユーザーの身体的特徴を示す身体的特徴情報を取得する情報取得手段と、
少なくとも前記身体的特徴情報に基づいて、前記ユーザーを認証する認証手段と、
前記認証手段による認証結果に基づいて、前記記録手段に蓄積されたコンテンツを前記ユーザーに提供する制御手段と
を備えることを特徴とするコンテンツ提供装置。
【請求項２】
前記制御手段は、
前記認証手段の認証結果に基づいて暗号化キーを発行し、
前記暗号化キーにより前記記録手段に前記コンテンツを記録して保持し、
前記記録手段に記録されたコンテンツの暗号化を前記暗号化キーにより解除して前記ユーザーに提供する
ことを特徴とする請求項１に記載のコンテンツ提供装置。
【請求項３】
前記身体的特徴情報は、
指紋の情報であり、
前記情報取得手段は、
前記ユーザーが前記車両を操作する際に触れる前記車両の部位に設けられている
ことを特徴とする請求項１に記載のコンテンツ提供装置。
【請求項４】
記録手段にコンテンツを記録して保持し、前記コンテンツをユーザーに提供する車載装置に係るコンテンツの提供方法であって、
ユーザーの身体的特徴を示す身体的特徴情報に基づいて、前記ユーザーを認証し、
認証結果に基づいて、前記記録手段に蓄積されたコンテンツを前記ユーザーに提供する
ことを特徴とするコンテンツ提供方法。
【発明の詳細な説明】
【技術分野】
【０００１】
本発明は、コンテンツ提供装置及びコンテンツの提供方法に関し、例えばカーオーディオ装置に適用することができる。本発明は、ユーザーの身体的特徴を示す身体的特徴情報によりユーザー認証し、この認証結果に基づいて記録手段に蓄積されたコンテンツをユーザーに提供することにより、盗難等による場合でも、蓄積したコンテンツの不正な利用を防止することができるようにする。
【背景技術】
【０００２】
従来、車載のコンテンツ提供装置であるカーオーディオ装置においては、内蔵の記録手段であるハードディスク装置にコンテンツを記録して蓄積し、この蓄積したコンテンツをユーザーに提供する装置が提供されるようになされている。
【０００３】
このようなカーオーディオ装置に関連して、従来、コンテンツの保護方法が種々に提案されるようになされており、例えば特開２００２−１１６７６９号公報においては、ユーザーの入力したユーザーＩＤと、機器の保有する機器ＩＤとによるユーザー認証に基づいてサーバーからコンテンツをダウンロードし、ユーザーに提供する方法が提案されている。この方法によれば、他の車両、他のユーザーによるコンテンツのダウンロードを防止してコンテンツの保護を図ることができる。
【０００４】
ところでカーオーディオ装置においては、車両ごと盗難に合う場合がある。また車上荒らしにより車両から盗まれる場合もある。このような場合、カーオーディオ装置では、蓄積したコンテンツまで不正に利用されることになる。このような不正利用を防止することができれば、さらに一段をコンテンツの保護を図ることができると考えられる。
【０００５】
特に、このようなコンテンツの蓄積においては、将来、コンテンツ以外の個人情報、車両に係る各種の情報も併せて記録することが考えられることにより、この種の不正な利用にあっては、確実に防止することが求められる。
【特許文献１】特開２００２−１１６７６９号公報
【発明の開示】
【発明が解決しようとする課題】
【０００６】
本発明は以上の点を考慮してなされたもので、盗難等による場合でも、蓄積したコンテンツの不正な利用を防止することができるコンテンツ提供装置、コンテンツの提供方法を提案しようとするものである。
【課題を解決するための手段】
【０００７】
かかる課題を解決するため請求項１の発明においては、記録手段にコンテンツを記録して保持し、コンテンツをユーザーに提供する車載のコンテンツ提供装置に適用して、少なくとも身体的特徴情報に基づいて、ユーザーを認証する認証手段と、認証手段による認証結果に基づいて、記録手段に蓄積されたコンテンツをユーザーに提供する制御手段とを備えるようにする。
【０００８】
また請求項４の発明においては、記録手段にコンテンツを記録して保持し、コンテンツをユーザーに提供する車載装置に係るコンテンツの提供方法に適用して、ユーザーの身体的特徴を示す身体的特徴情報に基づいて、ユーザーを認証し、認証結果に基づいて、記録手段に蓄積されたコンテンツをユーザーに提供する。
【０００９】
請求項１の構成によれば、記録手段にコンテンツを記録して保持し、コンテンツをユーザーに提供する車載のコンテンツ提供装置に適用して、少なくとも身体的特徴情報に基づいて、ユーザーを認証する認証手段と、認証手段による認証結果に基づいて、記録手段に蓄積されたコンテンツをユーザーに提供する制御手段とを備えることにより、身体的特徴により認証されたユーザー以外には、コンテンツを利用できないようにし得、これにより盗難等による場合でも、蓄積したコンテンツの不正な利用を防止することができる。
【００１０】
これにより請求項４の構成によれば、盗難等による場合でも、蓄積したコンテンツの不正な利用を防止することができるコンテンツの提供方法を提供することができる。
【発明の効果】
【００１１】
上述のように本発明によれば、盗難等による場合でも、蓄積したコンテンツの不正な利用を防止することができる。
【発明を実施するための最良の形態】
【００１２】
以下、適宜図面を参照しながら本発明の実施例を詳述する。
【実施例１】
【００１３】
（１）実施例１の構成
図２は、本発明の実施例１に係るコンテンツ提供システム１を示すブロック図である。このコンテンツ提供システム１は、コンテンツ提供サーバー３から提供したコンテンツ、光ディスク等に記録したコンテンツを車両２に内蔵のカーオーディオ装置によりユーザーに提供する。
【００１４】
このためコンテンツ提供サーバー３は、ネットワーク５及び基地局６を介した車両２との間のデータ通信により、事前に、ユーザー登録を受け付け、このユーザー登録によりユーザー認証に必要な認証用データ、課金に供する各ユーザーの個人情報等の登録を受け付ける。またこのようにしてユーザー登録した後において、車両２からコンテンツのダウンロード要求が得られると、この認証用データを用いたユーザー認証を条件に、要求に係るコンテンツを車両２に提供する。また提供したコンテンツに係る課金の処理を課金サーバー４に指示する。
【００１５】
また車両２においては、このようにしてダウンロードしたコンテンツ、光ディスク等によるコンテンツをカーオーディオ装置１０によりユーザーに提供する。
【００１６】
図１は、車両２に搭載されたカーオーディオ装置１０の全体構成を示すブロック図である。カーオーディオ装置１０において、コンテンツサーバー１１は、ダウンロードしたコンテンツ、光ディスク等によるコンテンツを蓄積して保持し、ユーザーによる指示によりこのコンテンツをユーザーに提供する。
【００１７】
すなわちこのカーオーディオ装置１０において、通信インターフェイス（Ｉ／Ｆ）１２は、コンテンツサーバー１１とネットワーク５との間の通信手段を構成し、コンテンツサーバー１１から出力されるコンテンツ提供要求、認証データ、認証に供するデータ等をコンテンツ提供サーバー３に通知し、またこの通知によりコンテンツ提供サーバー３から提供されるコンテンツのデータ等をコンテンツサーバー１１に出力する。
【００１８】
外部入力デバイス１３は、ＣＤ（Compact disk）、ＤＶＤ（Digital Versatile Disc）等による光ディスク、メモリカード等の記録媒体に記録された各種コンテンツのデータを読み出してコンテンツサーバー１１に出力する。
【００１９】
これによりこのカーオーディオ装置１０では、コンテンツ提供サーバー３からダウンロードした各種コンテンツ、記録媒体により提供される各種コンテンツをコンテンツサーバー１１に供給できるようになされている。
【００２０】
ディスプレイ装置１４は、この車両のダッシュボード等に設けられた液晶表示装置等により構成され、コンテンツサーバー１１から出力されるコンテンツに係る映像を表示し、スピーカ１５は、このコンテンツの音声をユーザーに提供する。これによりこのカーオーディオ装置１０では、コンテンツサーバー１１に蓄積されたコンテンツをユーザーに提供できるようになされている。
【００２１】
指紋採取装置１６は、ユーザーの身体的特徴を示す身体的特徴情報を取得する情報取得手段であり、この実施例ではこの身体的特徴情報に指紋の情報が割り当てられ、指紋採取装置１６は、ユーザーがこの車両２を操作する際に触れる車両２の特定部位に設けられて、指紋の情報を取得してコンテンツサーバー１１に出力する。
【００２２】
カードリーダー１７は、非接触型ＩＣカードのインターフェースであり、指紋採取装置１６と共に車両２の運転席側ドアに設けられる。すなわち図３に示すように、カードリーダー１７は、ドア２Ａの取っ手２Ｂに近接した部位に設けられ、ＩＣカード１８を近接して保持することにより、このＩＣカード１８の電源を立ち上げ、このＩＣカード１８に記録された個人情報をコンテンツサーバー１１に出力する。このカーオーディオ装置１０では、この個人情報によりユーザー認証し、車両２のドアロックを操作するようになされ、さらにはコンテンツを保護するようになされている。
【００２３】
指紋採取装置１６は、図４に示すように、車両２のドア２Ａの取っ手部分、ユーザーが搭乗の際に操作する部位に指紋採取部１６Ａが設けられ、この指紋採取部１６Ａに押圧されるユーザーの指紋画像を指紋の情報として出力するようになされている。なおこの指紋採取部１６Ａが設けられる箇所は、ユーザーが取っ手２Ｂを握った際に、親指が自然に触れる位置とされている。このような位置に指紋採取部１６Ａが設けられていることにより、このカーオーディオ装置１０では、ユーザーが車両２に乗車してコンテンツサーバー１１を利用する前段階の動作として、車両２に乗車するためにドア２Ａを開けと、ユーザーの親指が無意識に指紋採取部１６Ａに触れることとなり、ユーザーが意識することなく、ユーザーの自然な動作の過程で指紋を採取することができるようになされている。
【００２４】
車両情報取得装置１９は、車両２の走行速度、走行距離、エンジン回転数、灯火装置の使用時間等の車両情報を、エンジンの始動時から停止時までの間において車両２の各種センサから読み取り、コンテンツサーバー１１に出力する。これによりコンテンツサーバー１１は、コンテンツの他に、これらの車両に係る個人情報をも記録して保持するようになされている。
【００２５】
すなわちコンテンツサーバー１１において、認証部２０は（図１）、カードリーダー１７から出力される個人情報によりユーザー認証し、この認証結果によりドアロックの操作の指示をこの車両２のコントローラに通知する。これによりこの車両２においては、ドア２Ａに近接してＩＣカード１８をかざすだけの操作により正規ユーザーに対してドアロックを解除し、またドアロックすることができるようになされている。
【００２６】
また認証部２０は、このようにしてドアロックが解除された後において、指紋採取装置１６の動作を立ち上げ、指紋採取装置１６から出力される指紋画像の変化を監視し、ユーザーによる指紋採取部１６Ａへの接触を検出する。またこの監視により指紋採取部１６Ａより指紋画像の取得を検出すると、事前に登録された指紋画像に係る情報との比較による指紋照合により、ユーザー認証の処理を実行する。なおこの指紋照合においては、特徴点を利用するパターンマッチング等、種々の指紋照合方法を広く適用することができる。
【００２７】
またこの指紋照合により、事前に登録されたユーザーと判断されると、認証部２０は、これら指紋画像の情報、ＩＣカード１８から取得した個人情報に基づいて、コンテンツの暗号化、暗号化の解除に使用する暗号化キーを生成し、この暗号化キーを暗号化復号化部２１に出力する。また同時に、コンテンツ提供サーバー３においてユーザー認証に供する認証用データを同様にして作成する。
【００２８】
これらによりこのコンテンツサーバー１１では、ユーザーによるドア操作により、ＩＣカード１８、指紋画像により自動的にユーザー認証の処理が実行されるようになされ、その処理結果である暗号化キー、コンテンツ提供サーバー３に対する認証用データがユーザー毎に用意されるようになされている。
【００２９】
暗号化復号化部２１は、再生蓄積部２２の制御により動作を切り換え、コンテンツの記録時においては、認証部２０から出力される暗号化キーにより再生蓄積部２２から出力されるコンテンツのデータを暗号化してストレージ２４に出力する。またこれとは逆にコンテンツ再生時においては、ストレージ２４から出力されるコンテンツのデータについて、暗号化を解除して出力する。
【００３０】
ストレージ２４は、大容量の記録装置であり、例えばハードディスク装置が適用される。
【００３１】
再生蓄積部２２は、ユーザーによる操作に応動して所定の処理手順を実行することにより、このコンテンツサーバー１１の動作を制御するコントローラである。この再生蓄積部２２は、ユーザーにより外部入力デバイス１３によるコンテンツの視聴が指示されると、外部入力デバイス１３にコンテンツの再生を指示し、その結果得られるコンテンツのデータによりディスプレイ装置１４、スピーカ１５を駆動する。これによりこのカーオーディオ装置１０では、ＤＶＤ等により提供されるコンテンツを楽しむことができるようになされている。
【００３２】
またこのようにコンテンツを再生した状態でユーザーがコンテンツの蓄積を指示すると、又はユーザーが外部入力デバイス１３に係るコンテンツの蓄積を指示すると、外部入力デバイス１３で再生されるコンテンツのデータを暗号化復号化部２１に出力して暗号化を指示し、またこの暗号化したデータの記録をストレージ２４に指示する。これによりこのカーオーディオ装置１０では、この暗号化に係るユーザー以外では利用困難にコンテンツを記録するようになされている。
【００３３】
これに対してユーザーによりコンテンツ提供サーバー３へのユーザー登録が指示されると、再生蓄積部２２は、通信インターフェース１２を介してコンテンツ提供サーバー３に接続し、図示しないキーボード等の操作により入力される個人情報をコンテンツ提供サーバー３に通知する。また認証部２０で生成される認証用データをコンテンツ提供サーバー３に通知し、これら一連の処理によりユーザー登録の処理を実行する。
【００３４】
またこのようにしてユーザー登録して、ユーザーによりコンテンツのダウンロードが指示されると、再生蓄積部２２は、通信インターフェース１２の制御によりコンテンツ提供サーバー３にアクセスし、認証部２０から得られる認証用データをコンテンツ提供サーバー３に通知する。またこの認証用データの通知によりコンテンツ提供サーバー３で正しくユーザー認証されると、ユーザーによりコンテンツの選択を受け付けてコンテンツ提供サーバー３に通知し、その結果コンテンツ提供サーバー３から出力されるコンテンツのデータを通信インターフェース１２から取得する。再生蓄積部２２は、このコンテンツのデータを暗号化復号化部２１に出力して暗号化を指示し、またこの暗号化したデータの記録をストレージ２４に指示する。これによりこのカーオーディオ装置１０では、この暗号化に係るユーザー以外では利用困難にコンテンツ提供サーバー３からダウンロードしたコンテンツを記録するようになされている。
【００３５】
これらによりこの記録の処理においては、図５に示すように、ユーザーによる記録要求３０により、コンテンツ３２の暗号化処理３３が認証部２０より得られる暗号化キー３１により実行され、ストレージ２４に対する蓄積処理３４が実行されるようになされている。
【００３６】
また再生蓄積部２２は、このようにして記録したコンテンツの視聴をユーザーが指示すると、ユーザーに指示されたコンテンツの再生をストレージ２４に指示し、またその結果ストレージ２４から出力されるコンテンツのデータについて、暗号化の解除を暗号化復号化部２１に指示する。また暗号化復号化部２１の出力データによりディスプレイ装置１４、スピーカ１５を駆動し、これらによりストレージ２４から再生したコンテンツをユーザーに提供する。
【００３７】
これらによりこの再生の処理においては、図６に示すように、ユーザーによる再生要求３５によって、ストレージ２４に記録されたコンテンツの復号化処理３７が認証部２０より得られる暗号化キー３６により実行され、暗号化が解除されてなるデータのデコード等による再生処理３８が実行されるようになされている。
【００３８】
これらによりこの実施例において、指紋採取装置１６は、ユーザーの身体的特徴を示す身体的特徴情報を取得する情報取得手段を構成し、認証部２０は、少なくとも身体的特徴情報に基づいて、ユーザーを認証する認証手段を構成する。また暗号化復号化部２１は、この認証手段による認証結果に基づいて、記録手段であるストレージ２４に蓄積されたコンテンツをユーザーに提供する制御手段を構成するようになされている。
【００３９】
なお車両情報にあっては、同様に暗号化キーにより暗号化して記録し、また暗号化を解除して図示しないインターフェースより出力し、これによりこの車両情報を車両の管理に役立てるようにして、これら車両情報に係る個人情報の流出を防止するようになされている。
【００４０】
（２）実施例１の動作
以上の構成において、このカーオーディオ装置１０を搭載した車両２においては、ドア２Ａに設けられたカードリーダー１７にＩＣカード１８が近づけられると、カードリーダー１７によりそのＩＣカード１８から認証用のデータが読み取られ、この認証用のデータを用いた認証部２０によるユーザー認証により、このユーザーが予め登録されている正規ユーザーの場合に、ドア２Ａのロックが解除される。これによりこの車両２では、正規ユーザー以外ではドア２Ａを操作できないように設定され、安全が図られる。
【００４１】
車両２では、このユーザー認証によりドアロックが解除されると共に、指紋採取装置１６の動作が立ち上げられ、その指紋採取装置１６により、ユーザーが車両２に乗り込む際に当然に行われるドア２Ａを開ける動作に伴ってユーザー固有の身体的特徴情報である指紋の情報が採取されて認証部２０に供給される。車両２では、カーオーディオ装置１０の認証部２０において、さらにこの指紋の情報によりユーザー認証され、正規ユーザーの場合には暗号化キーが発行される。
【００４２】
この車両２では、この暗号化キーによりコンテンツが暗号化されてストレージ２４に記録され、これにより車両２が盗まれた場合でも、さらにはこのカーオーディオ装置１０が盗まれた場合でも、ストレージ２４に蓄積したコンテンツについては、利用できないようにすることができ、これらにより盗難等による場合でも、蓄積したコンテンツの不正な利用を防止することができる。
【００４３】
しかしてこのように蓄積したコンテンツにあっては、再生の際、記録時とは逆に、暗号化キーにより暗号化が解除されてユーザーに提供され、これにより正規のユーザーにおいては、利用可能とすることができる。
【００４４】
これに対してユーザーがコンテンツのダウンロードを指示した場合、この暗号化キーと同時に、ＩＣカードに記録した個人情報、指紋のデータより生成された認証用のデータがコンテンツ提供サーバー３に送信され、この認証用のデータによるユーザー認証により所望するコンテンツがコンテンツ提供サーバー３から提供される。これによりこのカーオーディオ装置１０においては、ストレージに記録したコンテンツの保護と併せて、コンテンツ提供サーバー３に記録したコンテンツについても、ユーザーの身体的特徴により管理して保護を図ることができ、これによりコンテンツを多元的に保護することができる。
【００４５】
（３）実施例１の効果
以上の構成によれば、ユーザーの身体的特徴を示す身体的特徴情報に基づいてユーザー認証し、記録手段に蓄積されたコンテンツをユーザーに提供することにより、盗難等による場合でも、蓄積したコンテンツの不正な利用を防止することができる。
【００４６】
また認証手段の認証結果に基づいて暗号化キーを発行し、この暗号化キーにより記録手段にコンテンツを記録して保持するようにして、この記録手段に記録されたコンテンツの暗号化を暗号化キーにより解除してユーザーに提供することにより、ストレージに記録したコンテンツのデータ自体、不正な利用を防止することができ、これにより一段と確実にコンテンツを保護することができる。
【００４７】
またこのような身体的特徴情報が、指紋の情報であり、ユーザーが車両を操作する際に触れる車両の部位に設けられた取得手段で取得されることにより、ユーザーに負担を与えることなく、確実にコンテンツを保護することができる。
【実施例２】
【００４８】
図７は、本発明の実施例２に係るカーオーディオ装置４０を示すブロック図である。このカーオーディオ装置４０は、ディスプレイ装置４４と指紋採取装置４６とが一体に形成され、またコンテンツサーバー４１にカードリーダー４７が設けられ、さらにストレージ２４に記録する際のコンテンツの暗号化処理が省略される。このカーオーディオ装置４０は、これらの相違点に係る構成が異なる点を除いて、図１について上述したカーオーディオ装置１０と同一に構成され、以下の説明においては、カーオーディオ装置１０との同一の構成については対応する符号を付して示し、重複した説明は省略する。
【００４９】
すなわち図８に示すように、ディスプレイ装置４４は、表示画面部の全面に指紋採取装置４６の指紋採取部４６Ａが設けられ、これにより表示画面の表示に従ってこの指紋採取部４６Ａに指を触れることにより、指紋採取装置４６で指紋情報を取得できるようになされている。これによりこのカーオーディオ装置４０では、車内で、改めて指紋を採取するようになされている。
【００５０】
またこのカーオーディオ装置４０において、コンテンツサーバー４１は、図９に示すように、筐体の側面に挿入口４７Ａが設けられ、この挿入口４７ＡからＩＣカード４８を挿入することにより、この挿入口４７Ａの奥に設けられたカードリーダー４７によりＩＣカード４８に記録された個人情報を取得するようになされている。
【００５１】
また認証部５０は、この挿入口４７ＡのＩＣカード４８の挿入により動作を開始してＩＣカード４８の記録よりユーザー認証の処理を実行し、このユーザー認証結果を再生蓄積部４２に通知する。またこの通知による再生蓄積部４２によるディスプレイ装置４４の表示により、指紋採取装置４６で指紋の画像が取得されると、この指紋の画像によりユーザー認証の処理を実行し、認証結果を再生蓄積部４２に通知する。
【００５２】
再生蓄積部４２は、この認証結果により正規ユーザーの場合には、保持した認証用データによりコンテンツ提供サーバー３からコンテンツのデータをダウンロードしてストレージ２４に記録する。また外部入力デバイス１３から得られるコンテンツのデータをストレージ２４に記録する。またこのようにして記録したコンテンツのデータを再生してユーザーに提供する。これに対して正規ユーザーでない場合、これらの処理を中止する。
【００５３】
以上の構成によれば、別途、ユーザーより指紋画像を取得するようにしても、実施例１と同様の効果を得ることができる。
【実施例３】
【００５４】
図１０は、本発明の実施例３に係るカーオーディオ装置６０を示すブロック図である。このカーオーディオ装置６０は、指紋照合に代えて、ユーザーの顔の特徴によりユーザー認証する点を除いて、実施例１のカーオーディオ装置１０と同一に構成される。なお、図１０に示すカーオーディオ装置６０において、図１に示したカーオーディオ装置１０と同一構成には同一の符号を付して示し、重複した説明は省略する。
【００５５】
すなわちこのカーオーディオ装置６０においては、図１１に示すような撮像装置６６が車内に設けられ、ドアを操作するユーザーの顔を撮像するようになされている。なお撮像装置６６は、正面にレンズ６６Ｂを有する円形形状による本体部６６Ｃを基台６６Ａにより所定の箇所に保持して設けられる。
【００５６】
これによりコンテンツサーバー６１の認証部７０は、図１２に示すように、この撮像装置６６から得られる顔の幅Ｗ１、目の幅Ｗ２等の特徴によりユーザー認証するようになされている。
【００５７】
この実施例のようにユーザーの顔により認証の処理を実行するようにしても、実施例１と同一の効果を得ることができる。
【実施例４】
【００５８】
図１３は、本発明の実施例４に係るカーオーディオ装置８０を示すブロック図である。このカーオーディオ装置８０は、指紋照合に代えて音声認証によりユーザー認証する点を除いて、実施例１のカーオーディオ装置１０と同一に構成される。なお、図１３に示すカーオーディオ装置８０において、図１に示したカーオーディオ装置１０と同一の構成には同一の符号を付して示し、重複した説明は省略する。
【００５９】
このためこの実施例では、図１４に示すようなマイク８６が基台８６Ａを介してダッシュボード等に設けられ、コンテンツサーバー８１の認証部９０においては、このマイク８６で取得されるユーザーの音声によりユーザー認証するようになされている。
【００６０】
この実施例のように音声によりユーザー認証するようにしても、実施例１と同一の効果を得ることができる。
【実施例５】
【００６１】
図１５は、本発明の実施例５に係るカーオーディオ装置１００を示すブロック図である。このカーオーディオ装置１００は、指紋に代えて掌紋によりユーザー認証する点を除いて、実施例２のカーオーディオ装置４０と同一に構成される。なお、図１５に示すカーオーディオ装置１００において、図７に示したカーオーディオ装置４０と同一の構成には同一の符号を付して示し、重複した説明は省略する。
【００６２】
このためこの実施例では、図１６に示すような掌紋取得部１０４Ａが設けられ、認証部１１０においては、この掌紋取得部１０４Ａに係る掌紋取得装置１０４で検出される掌紋によりユーザー認証するようになされている。
【００６３】
この実施例のように、掌紋によりユーザー認証するようにしても、実施例１と同一の効果を得ることができる。
【実施例６】
【００６４】
図１７は、本発明の実施例６に係る操舵装置１２０の構成を示す側面図である。この実施例に係るカーオーディオ装置は、この操舵装置１２０により指紋情報を取得する。なおこの実施例のカーオーディオ装置は、この操舵装置１２０により指紋情報を取得する点を除いて、図１に示したカーオーディオ装置１０と同様に構成され、これにより以下の説明において、重複した説明は省略する。
【００６５】
ここで操舵装置１２０は、ジョイスティック形式の操舵装置と同様に、把持する部位が一意的に決まる装置である。この操舵装置１２０は、運転席の座席１２１の根元、右手側よりアーム１２２が延長し、このアーム１２２の先端に操作部１２３が配置される。
【００６６】
ここで操作部１２３は、座席１２１に着席した運転手（ユーザー）１２５が右手により操作する箇所である。操作部１２３は、図１８に上方より見て拡大して示すように、アーム１２２の先端に設けられたほぼ水平方向に延長する回動軸を中心にして、矢印Ａにより示すように、前後に回動できるように構成され、この操舵装置１２０が適用される車両においては、この前後の回動に応じて加減速するようになされている。また、操作部１２３は、アーム１２２の根元を中心にして、矢印Ｂにより示すように、左右に回動できるように構成され、この操舵装置１２０が適用される車両においては、この左右方向の回動により前輪の向きが左右に変化して進行方向が変化するようになされている。
【００６７】
また、操作部１２３は、前方より見たとき、上方側に略円弧形状に空隙が形成されるように、上方側の部位１２３Ａが円弧形状に立ち上がり、この円弧形状の空隙に人差し指から小指を差し込んで、親指と人差し指との付け根がこの円弧形状に立ち上がった部位１２３Ａの付け根に当接するようになされている。これにより、操作部１２３は、この円弧形状に立ち上がった部位１２３Ａに対して、親指と人差し指とにより左右方向に力を加えることにより、全体として左右に回動させることができるようになされている。また、親指と人差し指との付け根により前方に押し出して、全体を前方に回動させることができるようになされている。操作部１２３は、この円弧形状により立ち上がった部位１２３Ａが手の甲を覆い、この手の甲の上方にホーンの操作子１２３Ｂが配置されている。
【００６８】
ここで、操作部１２３の表面には、指の形に添うようにグリップ１２６が設けられており、ユーザー１２５が操作部１２３を操作する場合に、当該グリップ１２６に指を載せるようになされている。このグリップ１２６の表面には、指紋採取部１２７が設けられている。
【００６９】
これによりこの操舵装置１２０では、ユーザー１２５が操作部１２３を操作する際に、そのユーザー１２５の指が自然に指紋採取部１２７に触れることとなり、ユーザー１２５が意識することなく、指紋採取部１２７によって当該ユーザー１２５の指紋を採取するようになされている。
【００７０】
この実施例では、操舵装置で指紋を取得するようにして、ユーザーが気付かないうちに指紋を取得してユーザー認証することができ、これによっても実施例１と同様の効果を得ることができる。
【実施例７】
【００７１】
なお上述の実施例２においては、コンテンツサーバー４１にカードリーダー４７を内挿する場合について述べたが、本発明はこれに限らず、例えば、図１９に示すように、コンテンツサーバーとは別体のカードリーダーを設けるようにしてもよい。
【００７２】
また上述の実施例１においては、ドア２Ａの取っ手２Ｂの親指が触れる部分に指紋採取部１６Ａを設ける場合について述べたが、本発明はこれに限らず、図２０に示すように、親指以外の指のおおむね第１関節から指の根本までが触れる部分に指紋採取部１６Ａを設け、この部分の指紋によってユーザー認証を行うようにしてもよい。
【００７３】
また上述の実施例３においては、図１１に示したように、ユーザーの顔の画像によりユーザー認証する場合について述べたが、本発明はこれに限らず、網膜パターンによりユーザー認証する場合、静脈パターンによりユーザー認証する場合等、バイオメトリックスに係るユーザー認証手法を広く適用することができる。なお網膜パターンによりユーザー認証する場合には、例えば図２１に示すように、ユーザーの目１３０から網膜パターンを撮像する撮像装置１３１を設け、この撮像装置１３１より得られる網膜画像によりユーザー認証することになる。
【００７４】
また上述の実施例１等においては、車両２のドア２Ａに非接触型ＩＣカードのカードリーダー１７を設ける場合について述べたが、本発明はこれに限らず、図２２に示すように、ドア２Ａの表面にＩＣカードの挿入口１４０Ａを設け、接触型のカードリーダー１４０により個人情報を取得するようにしてもよい。
【産業上の利用可能性】
【００７５】
本発明は、例えば車両に搭載するカーオーディオ装置に適用することができる。
【図面の簡単な説明】
【００７６】
【図１】本発明の実施例１に係るカーオーディオ装置を示すブロック図である。
【図２】図１のカーオーディオ装置に係るコンテンツ配信システムを示すブロック図である。
【図３】図１のカーオーディオ装置の指紋採取部及びカードリーダーを示す側面図である。
【図４】図１のカーオーディオ装置の指紋採取部を示す斜視図である。
【図５】図１のカーオーディオ装置の記録時の構成を示す機能ブロック図である。
【図６】図１のカーオーディオ装置の再生時の構成を示す機能ブロック図である。
【図７】本発明の実施例２に係るカーオーディオ装置を示すブロック図である。
【図８】図７のカーオーディオ装置の指紋採取部を示す正面図及び側面図である。
【図９】図７のカーオーディオ装置のカードリーダーを示す斜視図である。
【図１０】本発明の実施例３に係るカーオーディオ装置を示すブロック図である。
【図１１】図１０のカーオーディオ装置の撮像装置を示す正面図である。
【図１２】図１０のカーオーディオ装置において撮像された被写体像を示す略線図である。
【図１３】本発明の実施例４に係るカーオーディオ装置を示すブロック図である。
【図１４】図１３のカーオーディオ装置のマイクを示す斜視図である。
【図１５】本発明の実施例５に係るカーオーディオ装置を示すブロック図である。
【図１６】図１５のカーオーディオ装置の掌紋採取部を示す正面図である。
【図１７】本発明の実施例６に係るカーオーディオ装置を搭載した車両の操舵装置を示す側面図である。
【図１８】図１７の操舵装置の操作部を示す上面図である。
【図１９】本発明の他の実施例に係るカードリーダーを示す斜視図である。
【図２０】本発明の他の実施例に係る指紋採取部を示す斜視図である。
【図２１】本発明の他の実施例に係る網膜パターンの撮像を示す側面図である。
【図２２】本発明の他の実施例に係るカードリーダーを示す側面図である。
【符号の説明】
【００７７】
１……コンテンツ配信システム、２……車両、３……コンテンツ提供サーバー、１０、４０、６０、８０、１００……カーオーディオ装置、１１、４１、６１、８１、１０１……コンテンツサーバー、１２……通信インターフェース、１３……外部入力デバイス、１４、４４……ディスプレイ装置、１６、４６……指紋採取装置、１７、４７、１４０……カードリーダー、１９……車両情報取得装置、２０、５０、７０、９０、１１０……認証部、２１……暗号化復号化部、２２、４２……再生蓄積部、２４……ストレージ、６６、１３１……撮像装置、８６……マイク、１０４……掌紋取得装置、１２０……操舵装置
【図１】
2005050083.tif 000003
【図２】
2005050083.tif 000004
【図３】
2005050083.tif 000005
【図４】
2005050083.tif 000006
【図５】
2005050083.tif 000007
【図６】
2005050083.tif 000008
【図７】
2005050083.tif 000009
【図８】
2005050083.tif 000010
【図９】
2005050083.tif 000011
【図１０】
2005050083.tif 000012
【図１１】
2005050083.tif 000013
【図１２】
2005050083.tif 000014
【図１３】
2005050083.tif 000015
【図１４】
2005050083.tif 000016
【図１５】
2005050083.tif 000017
【図１６】
2005050083.tif 000018
【図１７】
2005050083.tif 000019
【図１８】
2005050083.tif 000020
【図１９】
2005050083.tif 000021
【図２０】
2005050083.tif 000022
【図２１】
2005050083.tif 000023
【図２２】
2005050083.tif 000024